(57)【要約】【課題】眼用レンズの製造において、レンズに損傷なく離型すること。【解決手段】眼用レンズを離型するための方法および装置において、眼用レンズを離型する前にレンズ型アセンブリを冷却すること、およびレンズ型アセンブリを加熱することを含む、方法および装置。【選択図】図１
2008519316.tif 000002
【特許請求の範囲】
【請求項１】
眼用レンズを離型する方法において、
前記眼用レンズを離型する前に、レンズ型アセンブリを冷却し、前記レンズ型アセンブリを加熱する工程、
を含む、方法。
【請求項２】
請求項１に記載の方法において、
前記眼用レンズは、ソフトコンタクトレンズである、方法。
【請求項３】
請求項２に記載の方法において、
前記ソフトコンタクトレンズは、シリコンヒドロゲルである、方法。
【請求項４】
請求項２に記載の方法において、
前記ソフトコンタクトレンズは、エタフィルコンＡ、ジェニフィルコンＡ、ガリフィルコンＡ、セノフィルコンＡ、レネフィルコンＡ、ロトルフィルコンＡ、ロトリフィルコンＢ、バリフィルコンＡ、またはポリマコンを含む、方法。
【請求項５】
請求項２に記載の方法において、
前記ソフトコンタクトレンズは、ガリフィルコンＡ、またはセノフィルコンＡを含む、方法。
【請求項６】
請求項１に記載の方法において、
前記レンズ型アセンブリは、約０℃〜約４０℃の温度まで冷却される、方法。
【請求項７】
請求項１に記載の方法において、
前記レンズ型アセンブリは、強制冷気により冷却される、方法。
【請求項８】
請求項１に記載の方法において、
前記レンズ型アセンブリは、固体ＣＯ2粒子により冷却される、方法。
【請求項９】
請求項１に記載の方法において、
前記レンズ型アセンブリの雄型部分は、強制冷気または固体ＣＯ2粒子により冷却される、方法。
【請求項１０】
請求項９に記載の方法において、
前記レンズ型アセンブリは、約−２５℃〜約＋４０℃の温度まで冷却される、方法。
【請求項１１】
請求項８に記載の方法において、
前記レンズ型アセンブリは、約−２５℃〜約＋１０℃の温度まで冷却される、方法。
【請求項１２】
請求項９に記載の方法において、
前記雄型アセンブリは、冷却される、方法。
【請求項１３】
請求項１１に記載の方法において、
前記雄型アセンブリは、加熱される、方法。
【請求項１４】
請求項１３に記載の方法において、
前記レンズ型アセンブリの温度は、約２０℃〜約４０℃である、方法。
【請求項１５】
請求項１３に記載の方法において、
前記レンズ型アセンブリの温度は、約２５℃〜約３０℃である、方法。
【請求項１６】
請求項１５に記載の方法において、
前記冷却工程は、１０秒未満に起こる、方法。
【請求項１７】
請求項１５に記載の方法において、
前記冷却および加熱工程は、約９秒から約２０秒の間に起こる、方法。
【請求項１８】
請求項１５に記載の方法において、
前記冷却および加熱工程は、約１２秒未満に起こる、方法。
【請求項１９】
装置において、
前記装置は、レンズ型アセンブリを離型する前に前記レンズ型アセンブリを冷却し、加熱するために好適であり、
前記装置は、
冷却部品と、
加熱部品と、
を具備する、装置。
【請求項２０】
請求項１９に記載の装置において、
前記冷却部品は、前記レンズアセンブリを約−２５℃〜約＋４０℃の温度にまで冷却する、装置。
【請求項２１】
請求項１９に記載の装置において、
前記冷却部品は、前記レンズ型アセンブリを約０℃〜約４０℃の温度にまで冷却する、装置。
【請求項２２】
請求項１９に記載の装置において、
前記冷却部品は、強制冷気を発生させる、装置。
【請求項２３】
請求項２２に記載の装置において、
前記冷却部品は、前記レンズアセンブリを約２５℃〜約３５℃にまで冷却する、装置。
【請求項２４】
請求項１９に記載の装置において、
前記冷却は、１０秒未満に起こる、装置。
【請求項２５】
請求項１９に記載の装置において、
前記冷却部品は、固体ＣＯ2粒子を発生させる、装置。
【請求項２６】
請求項２５に記載の装置において、
前記冷却部品は、前記レンズアセンブリを約−２５℃〜約＋１０℃にまで冷却する、装置。
【請求項２７】
請求項１９に記載の装置において、
前記加熱部品は、前記レンズアセンブリを約２０℃〜約４０℃にまで加熱する、装置。
【請求項２８】
請求項１９に記載の装置において、
前記冷却し、加熱する工程は、約９秒〜約２０秒のうちに起こる、装置。
【発明の詳細な説明】
【開示の内容】
【０００１】
本発明は、眼用レンズを離型するための方法に関する。
【０００２】
〔発明の背景〕
コンタクトレンズは、１９５０年代から視力を改善するために市販されてきた。最初のコンタクトレンズは、硬質材料で製造されていた。これらのレンズは現在も使用されているが、最初はあまり快適でないためにすべての患者に適しているわけではない。この分野におけるより最近の発展によりヒドロゲルに基づくソフトコンタクトレンズが生み出され、今日非常に普及している。これらのレンズは酸素透過性がより高く、そのようなレンズは硬質材料で作られたコンタクトレンズよりも装着するためには快適であることが多い。しかしながら、これらのレンズの有益な物理的性質が、特に柔らかいレンズを離型する際に、製造上の問題となることが多い。
【０００３】
多くのソフトコンタクトレンズは、部分的に重合させた、または未重合の成分の混合物を雄型および雌型部分の間に入れ、次に光および熱のいずれかまたは両方により重合させる工程により製造される。その後、重合させたレンズは型から取り外され（「離型する」）、次の工程において加工される（水和、未反応成分の除去など）。場合によっては、雄型または雌型部分のいずれかを離型させ、重合させたレンズを残っている型部分に置いたまま、または付着させたまま、次の加工工程が行われる。これらの詳細および他の離型工程と次の工程は、以下の公報、米国特許第５，８５０，１０７号、同第５，０８０，８３９号、同第５，０３９，４５９号、同第４，８８９，６６４号、および同第４，４９５，３１３号に見出され、前述の公報はすべて参照して本明細書に組み入れる。
【０００４】
レンズを離型する時、柔軟なレンズは、レンズ型の雄または雌半分のいずれかまたは両方を取り外すためにかかる力によって損傷されるおそれがある。同業者らは、この問題をさまざまな方法で解決しようと試みてきた。そのような試みの１つにおいては、離型工程の前に雄型半分を加熱し、次に取り外す。参照して本明細書に組み入れる米国特許第６，６６３，８０１号を参照。この方法は効果的であるとはいえ、すべてのタイプのソフトコンタクトレンズに適しているわけではなく、コンタクトレンズ型を離型するさらなる方法があれば有利であろう。この必要性は、以下の発明により達成される。
【０００５】
〔発明の詳細な説明〕
本発明は、眼用レンズを離型する前に、レンズ型アセンブリを冷却し、レンズ型アセンブリを加熱することを含む、またはそれらから本質的になる、またはそれらからなる眼用レンズを離型する方法を含む。
【０００６】
本明細書において「眼用レンズ」とは、眼の中または眼の上に存在するデバイスを指す。これらのデバイスは、視力矯正をもたらすことができ、または美容のために用いられてもよい。眼用レンズという語には、限定されるものではないが、ソフトコンタクトレンズ、眼内レンズ、オーバーレイレンズ、眼内インサート、および視力矯正インサートが含まれる。本発明の好ましいレンズは、シリコンエラストマーまたは限定されるものではないがシリコンヒドロゲルおよびフルオロヒドロゲルを含むヒドロゲルから作られる、ソフトコンタクトレンズである。ソフトコンタクトレンズの処方は、米国特許第５，７１０，３０２号、国際公開第９４２１６９８号、欧州特許第４０６１６１号、日本国特許第２００００１６９０５号、米国特許第５，９９８，４９８号、米国特許出願第０９／５３２，９４３号、米国特許第６，０８７，４１５号、米国特許第５，７６０，１００号、米国特許第５，７７６，９９９号、米国特許第５，７８９，４６１号、米国特許第５，８４９，８１１号、米国特許第５，９６５，６３１号に開示されており、また調製されたシリコンヒドロゲルは米国特許第５，９９８，４９８号、米国特許出願第０９／５３２，９４３号、米国特許出願第０９／５３２，９４３号（２０００年８月３０日出願）の一部継続出願、“内部湿潤剤を含む生物医学デバイス（Biomedical Devices Containing Internal wetting Agents）”と題された米国特許出願第６０／３１８，５３６号（２００１年９月１０日出願）および同じ標題の非仮出願対応物、米国特許出願第１０／２３６，５３８号（２００２年９月６日出願）、米国特許第６，０８７，４１５号、米国特許第５，７６０，１００号、米国特許第５，７７６，９９９号、米国特許第５，７８９，４６１号、米国特許第５，８４９，８１１号、および米国特許第５，９６５，６３１号に開示されている。本願において開示されたこれらの特許ならびに他の特許は、すべて参照して本明細書に組み入れる。特に好ましい本発明のレンズは、エタフィルコンＡ、ジェニフィルコンＡ（genfilcon A）、ガリフィルコンＡ、セノフィルコンＡ、レネフィルコンＡ（lenefilcon A）、ロトルフィルコンＡ（lotrfilcon A）、ロトリフィルコンＢ（lotrifilcon B）、バリフィルコンＡ（balifilcon A）、またはポリマコンから作られる。特に好ましい本発明のレンズは、ジェニフィルコンＡ、ガリフィルコンＡ、セノフィルコンＡ、レネフィルコンＡ、ロトルフィルコンＡ、ロトリフィルコンＢ、またはバリフィルコンＡから作られる。最も好ましいレンズには、限定されるものではないが、ガリフィルコンＡ、セノフィルコンＡ、および“内部湿潤剤を含む生物医学デバイス（Biomedical Devices Containing Internal wetting Agents）”と題された米国特許出願第６０／３１８，５３６号（２００１年９月１０日出願）および同じ標題のその非仮出願対応物、米国特許出願第１０／２３６，５３８号（２００２年９月６日出願）に開示されたレンズが含まれる。
【０００７】
「レンズ型アセンブリ」とは、雄型、雌型および硬化レンズの、３つの部品の組合せを指す。雄型および雌型は、例えばプラスチック、金属、およびガラスなどのさまざまな成分から作られてよい。好ましい型は、プラスチック製である。そのようなプラスチックの例としては、限定されるものではないが、“コンタクトレンズを製造するための型（Molds for Producing Contact Lenses）”と題された米国特許出願第１０／６３９，８２３号（２００３年８月１３日出願）において開示された材料が含まれ、これらはすべて参照して本発明に組み入れる。その他の型の材質としては、ポリマー、コポリマー、ホモポリマー、およびポリスチレン、ポリプロピレン、およびポリエチレンのブロックコポリマーがある。プラスチック型の例は、すべて参照して本明細書に組み入れる以下の文献、米国特許番号第５，０９４，６０９号、同第４，５６５，３４８号、および同第４，６４０，４８９号に開示されている。雄型および雌型は同じ材質である必要はない。例えば、雌型がポリプロピレン製、および雄型がノルボネン（norbonene）の脂環式コポリマー製のレンズ型アセンブリを用いてもよい。特に好ましい型の材質は、２つの異なる脂環式モノマーを含有し、ゼオン・ケミカルズ・リミテッド・パートナーシップ（Zeon Chemicals L.P.）からＺＥＯＮＯＲ（商標）として販売されている脂環式コポリマーである。ＺＥＯＮＯＲには、ガラス遷移温度の種類が１０５〜１６０℃であるいくつかの異なる等級がある。特に好ましいＺＥＯＮＯＲは、ＺＥＯＮＯＲ  １０６０Ｒであり、製造業者であるゼオン・ケミカルズ・リミテッド・パートナーシップによれば、メルトフローレート（「ＭＦＲ」）が  １１．０ｇ／１０分〜１８．０ｇ／１０分の範囲であり（ＪＩＳＫ  ６７１９（２３０℃）で試験）、比重（Ｈ2Ｏ＝１）が１．０１、ガラス遷移温度は１０５℃である。
【０００８】
本明細書において「冷却」とは、レンズ型アセンブリの温度を下げる任意の方法を指す。眼用レンズを硬化させる工程において、レンズ型アセンブリは加熱され、放射エネルギーにさらされる。このアセンブリが製造工程の硬化部分を終えた時、アセンブリの温度は約５０〜約７０℃である。この加熱されたレンズ型アセンブリは、離型の前に以下に記載の方法の１つにより冷却される。レンズ型アセンブリは、約０℃から約４５℃より低い温度にまで冷却されることが好ましく、約３℃から約３０℃より低い温度にまで冷却されることがより好ましい。
【０００９】
レンズ型アセンブリを冷却する１つの方法は、圧縮空気をレンズ型アセンブリに吹き付けるものであり、強制空気の温度は約−４０℃から約＋５℃、気流速度（標準立法フィート／分「ＳＣＦＭ」）は約５ＳＣＦＭから約１００ＳＣＦＭであり、好ましくは約１８ＳＣＦＭである。強制空気は、レンズ型アセンブリ全体またはレンズ型アセンブリの特定の部分に向けることができる。例えば、強制空気を雌型の非成型側表面（凸面）または雄型の非成型側表面（凹面）のいずれかに向けてもよい。強制空気法を用いる場合は、強制空気を雄型の凹面に向けることが好ましい。
【００１０】
レンズ型アセンブリを冷却するもう１つの方法は、固体ＣＯ2粒子をレンズアセンブリに吹き付けるものである。それらの粒子の温度は約−６０〜約−０℃であり、好ましくは、約−５０℃である。それらの粒子は約０．５ＳＣＦＭ〜約１０ＳＣＦＭの速度、好ましくは約３ＳＣＦＭの速度で放出される。固体ＣＯ2はレンズ型アセンブリ全体またはその一部に向けてよい。固体ＣＯ2は、雄型の非成型側表面に向けることが好ましい。レンズ型アセンブリを冷却する他の方法としては、限定されるものではないが、アセンブリを室温に戻るまで放置する方法、アセンブリを冷蔵庫に入れる方法、アセンブリを熱電冷却器または氷水などの冷たい液体の近くに置く方法などがある。好ましい冷却方法は、強制冷気または固体ＣＯ2粒子を用いる方法である。
【００１１】
本明細書において「加熱」とは、限定されるものではないが、蒸気、強制熱風、または熱をレンズ型アセンブリに当てる方法など、レンズ型アセンブリの温度を上昇させる任意の方法を指す。そのような加熱方法の例は、以下の参考文献、欧州特許第７７５，５７１号、同第６８６，４８７号、米国特許出願第２００２／０１４５，２１１号、米国特許第５，８２０，８９５号、同第６，１７１，５２９号、同第５，８５０，１０７号、同第５，２９４，３７９号、同第５，９３５，４９２号、および同第５，７７０，１１９号に見出され、これらはすべて参照して本明細書に組み入れる。レンズ型アセンブリ全体を加熱してもよく、その一部を加熱してもよい。レンズ型アセンブリを加熱する１つの方法は、炭化ケイ素赤外線放射体を使用し、これは米国特許第６，６６３，８０１号に開示されている。この加熱方法が用いられる場合は、雄型または雌型部分いずれかの非成型側表面に熱が加えられる。雄型の非成型側表面に熱が加えられることが特に好ましい。
【００１２】
レンズ型アセンブリの雄型が加熱された後、雄型は、シム、プライフィンガー(pry fingers）、または他のタイプの機械的てこ装置を用いて離型してよい。実験の詳細に関しては、欧州特許第７７５，５７１号、同第６８６，４８７号、米国特許出願第２００２／０１４５，２１１号、米国特許第５，８２０，８９５号、同第６，１７１，５２９号、同第５，８５０，１０７号、同第５，２９４，３７９号、同第５，９３５，４９２号、および同第５，７７０，１１９号を参照。機械的てこ装置に加えて、またはその代わりに、離型するために雄型を真空吸引して雄型を取り外してもよい。雄型部分を離型するために機械的方法と真空吸引を組合せて用いるのが好ましい。
【００１３】
本発明の方法には多くの利点がある。大部分の眼用レンズは、加工ステーションから加工ステーションへのスピードが重要な製造環境で製造されている。本発明の冷却およびそれに続く加熱工程を用いることにより、レンズの硬化区域の出口からレンズの離型までの間の時間が著しく短縮される。硬化区域からのレンズの移動とレンズの離型の間の時間は、約２０秒未満であることが好ましく、好ましくは約１５秒未満、より好ましくは約１０秒未満である。
【００１４】
本発明のさらなる利点は、冷却および次いで雄型または雌型部分いずれかを加熱することにより、加熱されていない型部分にレンズを置いたまま、または付着させたまま、加熱された型を取り外せることである。一部の製造工程では次の加工工程（水和、過剰モノマーの除去など）が、雄レンズ型または雌レンズ型のいずれかにおいて行われる必要があるため、このことは有利である。
【００１５】
本発明のもう１つの利点は、離型工程により損傷される眼用レンズがより少ないことである。このことは、破れ（tear）、欠け（chips）、表面のきず(mark)、表面の破れなどの型に関連する欠陥がある離型レンズの数の減少により証明されている。米国特許第６，６６３，８０１号に記載のように、ガリフィコンＡ(galificon A)から製造されている眼用レンズが、硬化区域からレンズを移動させ雄型部を加熱することにより離型する際に、レンズのおよそ３０〜７０％は型に関連する欠陥を有している。眼用レンズが冷却された空気または固体ＣＯ2粒子により冷却され、次に離型の前に加熱された場合、それらのレンズの約１０〜１５％は型に関連する欠陥を有している。
【００１６】
さらに本発明は、アセンブリを離型する前にレンズ型アセンブリを冷却および加熱するために好適な、冷却部品および加熱部品を具備する、またはそれらから本質的になる、またはそれらからなる装置を含む。レンズ型アセンブリの冷却、加熱、および離型とは、すべて、前記の意味および好ましい範囲を有する。好ましい冷却部品は、強制冷気送風機または固体ＣＯ2送風機である。好ましい加熱部品は、赤外線ヒーターである。
【００１７】
以下、実施例を挙げて本発明を説明する。これらの実施例は本発明を限定するものではない。これらの実施例は本発明を実施する一方法を示すことを意味するに過ぎない。レンズの製造に精通している者、ならびに他の専門家であれば、本発明を実施する他の方法を見出すことがあるかもしれない。しかしながら、それらの方法も本発明の範囲内であるものとする。
【００１８】
〔実施例〕
強制空気を用いる離型
実施例１
後続の加工工程が制限されるため、雄型部分は硬化レンズアセンブリから取り外され、硬化レンズは雌型部分に残留することが望ましい。この実施例では離型後に硬化レンズが雌型部分に残留するかどうかを評価する。
【００１９】
ガリフィルコンＡを作成するために使用される未硬化のモノマーを、Ｚｅｏｎｏｒ製の雄型半分および雌型半分の間に入れ、米国特許出願第６０／３１８，５３６号および米国特許出願第１０／２３６，５３８号に記載のように硬化させた。硬化レンズ型アセンブリの温度はおよそ６５℃であった。雄型部分の凹面をシリコン赤外線ヒーターで加熱し、米国特許第６，６６３，８０１号に記載のとおり離型した。雄型の凹面に冷気（−４０℃，１８ＳＣＦＭ）を２、３、４、または８秒間吹き付けることにより、一部のレンズ型アセンブリを冷却した。冷却されたレンズアセンブリをシリコン赤外線ヒーターで加熱し、米国特許第６，６６３，８０１号に記載のとおり離型した。離型したレンズが雌型部分に残留しているかどうかを評価した。結果は図１に示されている。この図は、離型の前に冷却しなければ５％未満のレンズが雌型部分に残留することを示す。
【００２０】
固体ＣＯ2を用いる離型
実施例２
この実施例では、離型による硬化レンズの欠陥を評価する。ガリフィルコンＡを作成するために使用される硬化していないモノマーを、Ｚｅｏｎｏｒ製の雄型半分および雌型半分の間に入れ、米国特許出願第６０／３１８，５３６号および米国特許出願第１０／２３６，５３８号に記載のように硬化させた。硬化レンズ型アセンブリの温度はおよそ６５℃であった。雄型の凹面に固体ＣＯ2（−５０℃，３ＳＣＦＭ）を約２秒吹き付けることにより、レンズ型アセンブリを冷却した。冷却されたレンズアセンブリをシリコン赤外線ヒーターで加熱し、米国特許第６，６６３，８０１号に記載のとおり離型した。離型したレンズはすべて雌型部分に残留していた。離型したレンズに破れ、表面のきず／破れ、繊維、および破片などの型に関連する欠陥がどれだけ見出されるかを判定するためにこれらのレンズを評価した。結果は図２に示されている。この図は、冷却離型技術の使用が型に関連する欠陥（破れ、表面のきず／破れ）をわずか１５％としていることを示す。この数字は、冷却が行われない場合に存在する、型に関連する欠陥の量（３０〜７０％）よりも低い。
【００２１】
〔実施の態様〕
本発明の実施態様は以下の通りである。
（１）眼用レンズを離型する方法において、
前記眼用レンズを離型する前に、レンズ型アセンブリを冷却し、前記レンズ型アセンブリを加熱する工程、
を含む、方法。
（２）実施態様１に記載の方法において、
前記眼用レンズは、ソフトコンタクトレンズである、方法。
（３）実施態様２に記載の方法において、
前記ソフトコンタクトレンズは、シリコンヒドロゲルである、方法。
（４）実施態様２に記載の方法において、
前記ソフトコンタクトレンズは、エタフィルコンＡ、ジェニフィルコンＡ、ガリフィルコンＡ、セノフィルコンＡ、レネフィルコンＡ、ロトルフィルコンＡ、ロトリフィルコンＢ、バリフィルコンＡ、またはポリマコンを含む、方法。
（５）実施態様２に記載の方法において、
前記ソフトコンタクトレンズは、ガリフィルコンＡ、またはセノフィルコンＡを含む、方法。
【００２２】
（６）実施態様１に記載の方法において、
前記レンズ型アセンブリは、約０℃〜約４０℃の温度まで冷却される、方法。
（７）実施態様１に記載の方法において、
前記レンズ型アセンブリは、強制冷気により冷却される、方法。
（８）実施態様１に記載の方法において、
前記レンズ型アセンブリは、固体ＣＯ2粒子により冷却される、方法。
（９）実施態様１に記載の方法において、
前記レンズ型アセンブリの雄型部分は、強制冷気または固体ＣＯ2粒子により冷却される、方法。
（１０）実施態様９に記載の方法において、
前記レンズ型アセンブリは、約−２５℃〜約＋４０℃の温度まで冷却される、方法。
【００２３】
（１１）実施態様８に記載の方法において、
前記レンズ型アセンブリは、約−２５℃〜約＋１０℃の温度まで冷却される、方法。
（１２）実施態様９に記載の方法において、
前記雄型アセンブリは、冷却される、方法。
（１３）実施態様１１に記載の方法において、
前記雄型アセンブリは、加熱される、方法。
（１４）実施態様１３に記載の方法において、
前記レンズ型アセンブリの温度は、約２０℃〜約４０℃である、方法。
（１５）実施態様１３に記載の方法において、
前記レンズ型アセンブリの温度は、約２５℃〜約３０℃である、方法。
【００２４】
（１６）実施態様１５に記載の方法において、
前記冷却工程は、１０秒未満に起こる、方法。
（１７）実施態様１５に記載の方法において、
前記冷却および加熱工程は、約９秒から約２０秒の間に起こる、方法。
（１８）実施態様１５に記載の方法において、
前記冷却および加熱工程は、約１２秒未満に起こる、方法。
（１９）装置において、
前記装置は、レンズ型アセンブリを離型する前に前記レンズ型アセンブリを冷却および加熱するために好適であり、
前記装置は、
冷却部品と、
加熱部品と、
を具備する、装置。
（２０）実施態様１９に記載の装置において、
前記冷却部品は、前記レンズアセンブリを約−２５℃〜約＋４０℃の温度にまで冷却する、装置。
【００２５】
（２１）実施態様１９に記載の装置において、
前記冷却部品は、前記レンズ型アセンブリを約０℃〜約４０℃の温度にまで冷却する、装置。
（２２）実施態様１９に記載の装置において、
前記冷却部品は、強制冷気を発生させる、装置。
（２３）実施態様２２に記載の装置において、
前記冷却部品は、前記レンズアセンブリを約２５℃〜約３５℃にまで冷却する、装置。
（２４）実施態様１９に記載の装置において、
前記冷却は、１０秒未満に起こる、装置。
（２５）実施態様１９に記載の装置において、
前記冷却部品は、固体ＣＯ2粒子を発生させる、装置。
【００２６】
（２６）実施態様２５に記載の装置において、
前記冷却部品は、前記レンズアセンブリを約−２５℃〜約＋１０℃にまで冷却する、装置。
（２７）実施態様１９に記載の装置において、
前記加熱部品は、前記レンズアセンブリを約２０℃〜約４０℃にまで加熱する、装置。
（２８）実施態様１９に記載の装置において、
前記冷却し、加熱する工程は、約９秒〜約２０秒のうちに起こる、装置。
【図面の簡単な説明】
【００２７】
【図１】冷却および非冷却離型工程において雌型部分に残留したレンズの数を示すグラフである。
【図２】離型する前に冷却および加熱を行った、離型したレンズの欠陥の数を示すグラフである。
【図１】
2008519316.tif 000003
【図２】
2008519316.tif 000004
【国際調査報告】
2008519316.tif 000005
2008519316.tif 000006
2008519316.tif 000007
2008519316.tif 000008
2008519316.tif 000009
2008519316.tif 000010